(57)【要約】【課題】一般給湯回路に異常がある場合であっても、浴槽への湯張り動作を適切かつ迅速に行なうことが可能な給湯装置を提供する。【解決手段】一般給湯回路Ａと、風呂追い焚き回路Ｂと、これら両回路Ａ，Ｂの動作制御を実行し、かつこれら両回路Ａ，Ｂに異常があるか否かの判断機能を有する制御手段５と、を備えている、給湯装置ＷＨ１であって、制御手段５は、浴槽４５への湯張り動作を開始する場合において、一般給湯回路Ａに異常があり、かつ風呂追い焚き回路Ｂには異常がないものと判断したときには、一般給湯回路Ａから風呂追い焚き回路Ｂの熱交換器１２ｂに供給させた湯水を、風呂追い焚き回路Ｂのバーナ１０ｂにより加熱し、この加熱された湯水を浴槽４５に落とし込む制御を実行する。【選択図】  図１
2016044854.tif 000002
【特許請求の範囲】
【請求項１】
入水口から第１の熱交換器に供給された湯水を第１のバーナにより加熱し、かつこの加熱された湯水を一般給湯端末に向けて出湯する動作および前記湯水を浴槽側へ送り出して前記浴槽への湯張り動作を可能とする一般給湯回路と、
前記浴槽の湯水を第２の熱交換器に供給させて第２のバーナにより加熱し、かつこの加熱された湯水を前記浴槽に戻すことが可能な風呂追い焚き回路と、
これら風呂追い焚き回路および一般給湯回路の両回路の動作制御を実行し、かつこれら両回路に異常があるか否かの判断機能を有する制御手段と、
を備えている、給湯装置であって、
前記制御手段は、前記浴槽への湯張り動作を開始する場合において、前記一般給湯回路に異常があり、かつ前記風呂追い焚き回路には異常がないものと判断したときには、前記一般給湯回路から前記第２の熱交換器に供給させた湯水を前記第２のバーナにより加熱し、この加熱された湯水を前記浴槽に落とし込む制御を実行するように構成されていることを特徴とする、給湯装置。
【請求項２】
請求項１に記載の給湯装置であって、
前記制御手段は、前記浴槽への所定量の湯張りを完了した後には、前記浴槽の湯水の温度を検出し、かつこの検出温度が所定の湯張り目標設定温度に達していないときには、前記風呂追い焚き回路を利用して前記浴槽の湯水を前記湯張り目標設定温度まで加熱する制御を実行するように構成されている、給湯装置。
【請求項３】
請求項１または２に記載の給湯装置であって、
前記一般給湯回路の異常として、前記第１のバーナの燃焼駆動が全面的に中止される重度の異常と、前記第１のバーナの燃焼駆動は可能であるものの、前記第１のバーナによる湯水加熱量が所定以下に低下した状態となる軽度の異常とがあり、
前記浴槽への湯張り動作時において、前記重度の異常がある場合には、前記第１のバーナによって加熱されていない非加熱の湯水が前記第２の熱交換器に供給される一方、前記軽度の異常がある場合には、前記第１のバーナによって加熱された湯水が前記第２の熱交換器に供給されるように構成されている、給湯装置。
【請求項４】
請求項１ないし３のいずれかに記載の給湯装置であって、
前記風呂追い焚き回路は、前記浴槽の湯水を前記第２の熱交換器側へ戻すための戻り管および前記第２の熱交換器を通過した湯水を前記浴槽に再流入させるための往き管を有しており、
前記浴槽への湯張り動作時においては、前記一般給湯回路から前記風呂追い焚き回路に送られてきた湯水が、前記戻り管および前記往き管の双方を分岐して流れて前記浴槽に落とし込まれるように構成されており、
前記第２のバーナは、前記浴槽への湯張り動作時において、前記往き管側に流れて前記第２の熱交換器に送り込まれた湯水を、湯張り目標設定温度よりも高い温度に加熱し、または最大燃焼火力で加熱するように構成されている、給湯装置。
【請求項５】
請求項１ないし３のいずれかに記載の給湯装置であって、
前記風呂追い焚き回路は、前記浴槽の湯水を前記第２の熱交換器側へ戻すための戻り管および前記第２の熱交換器を通過した湯水を前記浴槽に再流入させるための往き管を有しているとともに、前記一般給湯回路から前記風呂追い焚き回路に送られてきた湯水の流れを切り替えるための流路切替え弁をさらに有しており、
前記浴槽への湯張り動作時において、前記一般給湯回路に異常がないときには、前記一般給湯回路から前記風呂追い焚き回路に送られてきた湯水は、前記戻り管および前記往き管の双方を分岐して流れて前記浴槽に落とし込まれる一方、
前記一般給湯回路に異常があるときには、前記一般給湯回路から前記風呂追い焚き回路に送られてきた湯水は、前記戻り管を通過することなく、前記第２の熱交換器および前記往き管を通過して前記浴槽に落とし込まれるように構成されている、給湯装置。
【発明の詳細な説明】
【技術分野】
【０００１】
本発明は、一般給湯機能、浴槽への湯張り機能、および風呂追い焚き機能を備えたタイプの給湯装置に関する。
【背景技術】
【０００２】
本出願人は、給湯装置の一例として、特許文献１に記載のものを先に提案している。
同文献に記載の給湯装置は、一般給湯回路と風呂追い焚き回路とを備えている。一般給湯回路は、所定の入水口から第１の熱交換器に供給された湯水を第１のバーナにより加熱し、この加熱された湯水を一般給湯端末に向けて出湯可能であるとともに、前記湯水を浴槽への湯張りにも利用可能とされている。風呂追い焚き回路は、浴槽に溜められた湯水を第２の熱交換器に供給させて第２のバーナにより加熱し、この加熱された湯水を前記浴槽に戻すことが可能である。
【０００３】
前記給湯装置においては、一般給湯回路に異常が発生した際にその旨を検知可能な制御手段が具備されている。浴槽への湯張り動作時において、一般給湯回路に異常が発生している場合、第１および第２のバーナはともに燃焼駆動されず、一般給湯回路から浴槽には非加熱の湯水が供給されて落とし込まれる。湯水の落とし込み量が所定量に達して水位スイッチがオンになると、風呂追い焚き回路が動作を開始し、浴槽の湯水を所望の湯張り目標設定温度まで上昇させることが可能である。
このように、前記給湯装置によれば、一般給湯回路に異常が発生していたとしても、浴槽には所望温度の湯水を張ることが可能である。給湯装置に異常が発生している場合には、できる限り早期にその異常をなくすための修理を行なうことが求められるが、そのような修理を早期に完了できない場合であっても、浴槽への所望温度の湯張りを行なわせ、ユーザが入浴し得る状況を確保することができるため、ユーザにとって便利である。
【０００４】
しかしながら、前記従来技術においては、次に述べるように、未だ改善すべき余地があった。
【０００５】
すなわち、従来においては、一般給湯回路に異常が発生している場合の措置として、浴槽には非加熱の湯水が落とし込まれており、かつその落とし込み湯量が所定量に達した後に、その湯水の加熱が開始されるために、浴槽への湯水の落とし込み開始時から浴槽の湯水が所望の湯張り目標設定温度に沸き上がる迄の所要時間は長くなる。一般給湯回路への入水温度が低い冬季などにおいては、前記所要時間は一層長いものとなる。ユーザの快適性や利便性をより向上させる観点からすると、前記所要時間をできる限り短くすることが望まれる。
【先行技術文献】
【特許文献】
【０００６】
【特許文献１】特開昭６３−１８９７３６号公報
【発明の概要】
【発明が解決しようとする課題】
【０００７】
本発明は、前記したような事情のもとで考え出されたものであり、一般給湯回路に異常がある場合であっても、浴槽への湯張り動作を適切かつ迅速に行なうことが可能な給湯装置を提供することを、その課題としている。
【課題を解決するための手段】
【０００８】
上記の課題を解決するため、本発明では、次の技術的手段を講じている。
【０００９】
本発明により提供される給湯装置は、入水口から第１の熱交換器に供給された湯水を第１のバーナにより加熱し、かつこの加熱された湯水を一般給湯端末に向けて出湯する動作および前記湯水を浴槽側へ送り出して前記浴槽への湯張り動作を可能とする一般給湯回路と、前記浴槽の湯水を第２の熱交換器に供給させて第２のバーナにより加熱し、かつこの加熱された湯水を前記浴槽に戻すことが可能な風呂追い焚き回路と、これら風呂追い焚き回路および一般給湯回路の両回路の動作制御を実行し、かつこれら両回路に異常があるか否かの判断機能を有する制御手段と、を備えている、給湯装置であって、前記制御手段は、前記浴槽への湯張り動作を開始する場合において、前記一般給湯回路に異常があり、かつ前記風呂追い焚き回路には異常がないものと判断したときには、前記一般給湯回路から前記第２の熱交換器に供給させた湯水を前記第２のバーナにより加熱し、この加熱された湯水を前記浴槽に落とし込む制御を実行するように構成されていることを特徴としている。
【００１０】
このような構成によれば、一般給湯回路に異常が発生し、第１のバーナを利用して湯水を適切に加熱できない状態が生じたとしても、風呂追い焚き回路の第２のバーナを利用して湯水加熱を行ない、かつこの加熱された湯水を浴槽に落とし込むことができる。したがって、第１および第２のバーナのいずれによっても加熱されていない非加熱の湯水を浴槽に落とし込んでいた従来技術と比較すると、浴槽への湯水の落とし込みを開始してから浴槽の湯水を所望の湯張り目標設定温度にするまでの所要時間を短くすることができる。その結果、ユーザの快適性や利便性の向上を好適に図ることができる。
【００１１】
本発明において、好ましくは、前記制御手段は、前記浴槽への所定量の湯張りを完了した後には、前記浴槽の湯水の温度を検出し、かつこの検出温度が所定の湯張り目標設定温度に達していないときには、前記風呂追い焚き回路を利用して前記浴槽の湯水を前記湯張り目標設定温度まで加熱する制御を実行するように構成されている。
【００１２】
このような構成によれば、浴槽への所定量の湯水の落とし込みが完了した後には、自動で（制御手段による制御により）浴槽の湯水が所望の湯張り目標設定温度まで沸き上げられることとなる。したがって、湯水の落とし込み動作を確認してからユーザが追い焚き用のスイッチ操作を行なうといった煩わしさがない。
【００１３】
本発明において、好ましくは、前記一般給湯回路の異常として、前記第１のバーナの燃焼駆動が全面的に中止される重度の異常と、前記第１のバーナの燃焼駆動は可能であるものの、前記第１のバーナによる湯水加熱量が所定以下に低下した状態となる軽度の異常とがあり、前記浴槽への湯張り動作時において、前記重度の異常がある場合には、前記第１のバーナによって加熱されていない非加熱の湯水が前記第２の熱交換器に供給される一方、前記軽度の異常がある場合には、前記第１のバーナによって加熱された湯水が前記第２の熱交換器に供給されるように構成されている。
【００１４】
このような構成によれば、一般給湯回路に重度の異常がある場合には第１のバーナの燃焼駆動が中止されて安全性が確保される反面、安全性に悪影響を与えない軽度の異常がある場合には、第１のバーナを燃焼駆動させて湯張り動作に有効に利用することができる。
【００１５】
本発明において、好ましくは、前記風呂追い焚き回路は、前記浴槽の湯水を前記第２の熱交換器側へ戻すための戻り管および前記第２の熱交換器を通過した湯水を前記浴槽に再流入させるための往き管を有しており、前記浴槽への湯張り動作時においては、前記一般給湯回路から前記風呂追い焚き回路に送られてきた湯水が、前記戻り管および前記往き管の双方を分岐して流れて前記浴槽に落とし込まれるように構成されており、前記第２のバ
ーナは、前記浴槽への湯張り動作時において、前記往き管側に流れて前記第２の熱交換器に送り込まれた湯水を、湯張り目標設定温度よりも高い温度に加熱し、または最大燃焼火力で加熱するように構成されている。
【００１６】
このような構成によれば、次のような効果が得られる。
前記構成における浴槽への湯水の落とし込みは、風呂追い焚き回路の戻り管と往き管とを利用したいわゆる両搬送でなされており、戻り管側を流れる湯水は第２のバーナにより加熱されることなく浴槽に落とし込まれる。これに対し、往き管側に送られて第２の熱交換器を通過する湯水は、湯張り目標設定温度よりも高い温度に加熱され、または第２のバーナの最大燃焼火力で加熱されるために、この加熱された湯水と、戻り管側を流れて浴槽に落とし込まれる非加熱の湯水とが浴槽内において混合された際の湯水温度が余り低くならないようにすることができる。このことにより、浴槽の湯水温度を所望の目標給湯温度まで沸き上げるための所要時間をより短くすることが可能となる。
【００１７】
本発明において、好ましくは、前記風呂追い焚き回路は、前記浴槽の湯水を前記第２の熱交換器側へ戻すための戻り管および前記第２の熱交換器を通過した湯水を前記浴槽に再流入させるための往き管を有しているとともに、前記一般給湯回路から前記風呂追い焚き回路に送られてきた湯水の流れを切り替えるための流路切替え弁をさらに有しており、前記浴槽への湯張り動作時において、前記一般給湯回路に異常がないときには、前記一般給湯回路から前記風呂追い焚き回路に送られてきた湯水は、前記戻り管および前記往き管の双方を分岐して流れて前記浴槽に落とし込まれる一方、前記一般給湯回路に異常があるときには、前記一般給湯回路から前記風呂追い焚き回路に送られてきた湯水は、前記戻り管を通過することなく、前記第２の熱交換器および前記往き管を通過して前記浴槽に落とし込まれるように構成されている。
【００１８】
このような構成によれば、次のような効果が得られる。
まず、一般給湯回路に異常がなく、第１のバーナにより湯水加熱を行なうことができる際には、浴槽への湯水の落とし込みは風呂追い焚き回路の戻り管と往き管とを利用したいわゆる両搬送でなされるため、浴槽への湯水の落とし込み流量を多くし、湯水の落とし込みの所要時間を短くすることができる。これに対し、一般給湯回路に異常が生じている場合には、風呂追い焚き回路の戻り管を利用した湯水の落とし込みは阻止され、浴槽に落とし込まれる湯水の全量を往き管側に位置する第２の熱交換器に流れさせて第２のバーナにより加熱することが可能である。したがって、浴槽に落とし込まれる湯水の温度を高くすることが可能であり、その後に浴槽の湯水を所望の湯張り目標設定温度まで追い焚きする時間を短くすることができる。
【００１９】
本発明のその他の特徴および利点は、添付図面を参照して以下に行なう発明の実施の形態の説明から、より明らかになるであろう。
【図面の簡単な説明】
【００２０】
【図１】本発明に係る給湯装置の一例を示す概略説明図である。
【図２】図１に示す給湯装置において実行される動作制御の一例を示すフローチャートである。
【図３】本発明に係る給湯装置の他の例を示す概略説明図である。
【図４】図３に示す給湯装置において実行される二方弁についての動作制御の一例を示すフローチャートである。
【発明を実施するための形態】
【００２１】
以下、本発明の好ましい実施の形態について、図面を参照して具体的に説明する。
【００２２】
図１に示す給湯装置ＷＨ１は、一般給湯回路Ａ、風呂追い焚き回路Ｂ、制御部５、これらを囲み込んで保護するための外装ケース１９、および制御部５に通信接続されたリモコン１６を備えている。
外装ケース１９内には、ファン１１から燃焼用空気の供給を内部に受ける缶体１４、この缶体１４内に配された第１および第２のバーナ１０ａ，１０ｂ、これら第１および第２のバーナ１０ａ，１０ｂによって発生された燃焼ガスから顕熱および潜熱を回収する第１および第２の熱交換器１２ａ，１２ｂを具備している。第１および第２のバーナ１０ａ，１０ｂは、たとえばガスバーナである。第１および第２の熱交換器１２ａ，１２ｂによって潜熱回収がなされた際に発生する強酸性の凝縮水（ドレン水）は、配管部３７を介して中和器９０に送られ、中和されてから廃棄される。
【００２３】
一般給湯回路Ａは、入水口３０ａに供給された水道水などの湯水を配管部３０を介して第１の熱交換器１２ａに送り込み、第１のバーナ１０ａにより加熱させた後に、配管部３１を介して出湯口３１ａに導き、出湯用配管３２を介してカラン３３などの一般給湯端末に供給可能である。この一般給湯回路Ａは、後述する浴槽４５への湯張り動作を行なうための注湯配管部３６を有している。
【００２４】
風呂追い焚き回路Ｂは、浴槽４５の湯水をポンプＰの駆動により一定の経路で循環させることが可能であり、浴槽４５の循環アダプタ４０に接続された戻り管３５ｂおよび往き管３５ａを有している。ポンプＰを駆動させると、矢印Ｎ１〜Ｎ７に示すように、浴槽４５に溜められた湯水が循環アダプタ４０の流入口４０ｂから戻り管３５ｂを介してポンプＰに到達し、その後は第２の熱交換器１２ｂおよび往き管３５ａを通過して循環アダプタ４０の吐出口４０ａに到達することにより、浴槽４５に戻される。風呂追い焚き動作で必要とされる湯水加熱能力は、一般給湯で必要とされる湯水加熱能力よりも低くてもよいのが通例であり、このため第２のバーナ１０ｂは第１のバーナ１０ａよりも燃焼火力が弱いものとされており、また第２の熱交換器１２ｂは第１の熱交換器１２ａよりも伝熱面積が小さいものとされている。
【００２５】
注湯配管部３６は、一般給湯回路Ａの配管部３１を流れる湯水を風呂追い焚き回路Ｂに流れ込ませるための部分であり、開閉弁としての注湯電磁弁Ｖ１、および逆流防止装置８を有している。注湯電磁弁Ｖ１は、通常時は閉状態にあり、この注湯電磁弁Ｖ１を開状態にすると、浴槽４５への湯張りが行なわれる。この湯張り時においては、白抜き矢印Ｎ１１〜Ｎ１４に示すように、配管部３１の湯水が注湯配管部３６を通過して風呂追い焚き回路Ｂに流れ込み、その後は戻り管３５ｂ側と往き管３５ａ側（第２の熱交換器１２ｂを通過する側）とに分岐して浴槽４５に流れ込む。逆流防止装置８は、浴槽４５からの逆流を阻止するための装置であり、たとえば２つの逆止弁８０と、これらの間に分岐接続されて逆流水を外部へ逃がすための逃がし弁８１とを有している。
【００２６】
リモコン１６は、各種の操作スイッチ１６ａやディスプレイ１６ｂなどを備えている。制御部５は、リモコン１６の操作などに対応して一般給湯回路Ａや風呂追い焚き回路Ｂなどの各部の動作制御を実行するように構成されており、本発明でいう制御手段の一例に相当する。制御部５は、一般給湯回路Ａおよび風呂追い焚き回路Ｂに所定の異常があるか否かを判断する異常判断部５０を有している。異常があるか否かの判断は、一般給湯回路Ａや風呂追い焚き回路Ｂに設けられた各種のセンサからの信号の有無や、センサから出力されるデータの内容などに基づいて判断される。この給湯装置ＷＨ１に設けられているセンサしては、たとえばファン１１に設けられたファン回転数センサＳａ、第１および第２のバーナ１０ａ，１０ｂの燃焼駆動がなされているか否かを判断するためのフレームロッド（図示略）、缶体１４が異常な高温になった際にこれを検知するための缶体温度センサＳｂ、入水温度センサＳｃ、出湯温度センサＳｄ、風呂入水温度センサＳｅ、および風呂出湯温度センサＳｆなどがある。これ以外として、各部の湯水流量や湯水流通の有無を検知
するための各種の流量センサなど（図示略）も設けられている。制御部５は、第１および第２のバーナ１０ａ，１０ｂに対する燃料ガスの供給を制御するための電磁弁Ｖ５の開閉制御を担当するが、好ましくは、これら電磁弁Ｖ５の駆動回路などに異常がある場合にはその旨も検知可能である。
制御部５は、浴槽４５への湯張り動作時においては、一般給湯回路Ａおよび風呂追い焚き回路Ｂに異常があるか否かに基づき、また異常がある場合にはその異常が所定の重度の異常であるか、あるいは所定の軽度の軽度であるかの区別に基づき、異なった制御を実行するように構成されている。その詳細については、後述する。
【００２７】
次に、前記した給湯装置ＷＨ１の作用について説明する。併せて、制御部５の動作処理手順の一例について、図２のフローチャートを参照しつつ説明する。
【００２８】
まず、リモコン１６がユーザにより操作され、浴槽４５への湯張りを開始すべき旨のスイッチ操作がなされると、制御部５は一般給湯回路Ａに所定の異常があるか否かを判断する（Ｓ１：ＹＥＳ，Ｓ２）。一般給湯回路Ａに異常がなく、かつ風呂追い焚き回路Ｂにも異常がない場合には、従来と同様な動作手順で浴槽４５への湯張り動作がなされる。すなわち、この場合には、注湯電磁弁Ｖ１が開かれて浴槽４５への湯水の落とし込みが開始されるが、その際には第１のバーナ１０ａは燃焼駆動とされる一方、第２のバーナ１０ｂは非燃焼駆動とされる（Ｓ２：ＮＯ，Ｓ１８：ＹＥＳ，Ｓ１９〜Ｓ２１）。次いで、浴槽４５に落とし込まれた湯量が所定量に達すると、注湯電磁弁Ｖ１が閉じられて浴槽４５への湯水の落とし込みが終了し、その後は風呂追い焚き回路Ｂが駆動されて浴槽４５の湯水が第２のバーナ１０ｂにより加熱される（Ｓ９：ＹＥＳ，Ｓ１０〜Ｓ１１）。この風呂追い焚き動作により浴槽４５の湯水温度が所定の湯張り目標設定温度まで上昇すると、風呂追い焚き動作が停止される（Ｓ１２：ＹＥＳ，Ｓ１３）。
【００２９】
なお、一般給湯回路Ａが正常であるにも拘わらず、風呂追い焚き回路Ｂが正常でない場合（Ｓ１８：ＮＯ）、その旨がリモコン１６において報知された上で、たとえば第１のバーナ１０ａによって加熱された湯水を浴槽４５に落とし込む動作のみが実行され、かつその後の風呂追い焚き動作（ステップＳ１１〜Ｓ１３の動作）は実行されないように制御される。または、これに代えて、浴槽４５への湯張り動作自体が実行されないように制御される。前記したリモコン１６による報知は、異常があることをユーザに察知させるための動作であるが、この報知動作は、たとえば所定の文字などのディスプレイ１６ｂへの表示、あるいはこれに代えてもしくは加えて、音声メッセージやアラーム音を発生させることなどにより行なわれる。この点は、後述するステップＳ５，Ｓ１５などの報知動作の場合も同様である。風呂追い焚き回路Ｂが正常でない（異常がある）と判断する場合の具体的な内容や判断基準は、安全性や加熱能力などを考慮し、制御部５に記憶される制御プログラムにおいて予め適宜に定めておくことが可能である。
【００３０】
前記とは異なり、一般給湯回路Ａに異常がある場合であって、この異常が所定の重度の異常であり、かつ風呂追い焚き回路Ｂが正常である場合には、その旨がリモコン１６を利用して報知されてから注湯電磁弁Ｖ１が開かれる（Ｓ２：ＹＥＳ，Ｓ３：ＹＥＳ，Ｓ４：ＹＥＳ，Ｓ５，Ｓ６）。ここで、重度の異常とは、安全性を確保する観点から第１のバーナ１０ａの燃焼駆動を全面的に中止することが望まれる異常、あるいは第１のバーナ１０ａを燃焼駆動させること自体が困難な状況にある異常であり、その具体的な内容や判断基準は、既述した風呂追い焚き回路Ｂが正常であるか否かの判断の場合と同様に、制御プログラムにおいて予め適宜に定めておくことができる。幾つかの例として、出湯温度センサＳｄの断線、所定数以上の電磁弁Ｖ５の断線、ファン１１の故障、あるいは第１の熱交換器１２ａに所定以上の排気閉塞が生じているような場合などが挙げられる。
【００３１】
前記したような重度の異常がある場合、第１のバーナ１０ａは燃焼駆動されず、第２の
バーナ１０ｂが燃焼駆動される（Ｓ７，Ｓ８）。このことにより、第２の熱交換器１２ｂを通過する湯水が加熱され、この加熱された湯水は往き管３５ａから浴槽４５に流入する。一方、注湯配管部３６から戻り管３５ｂ側に流れる湯水は非加熱のまま浴槽４５に流入することとなる。好ましくは、第２のバーナ１０ｂは、第２の熱交換器１２ｂを流れる湯水を湯張り目標設定温度よりも高い温度に加熱するように制御される。燃焼火力が不足し、そのような制御が困難な場合には、最大燃焼火力で湯水加熱を行なうように制御される。このような制御とは異なり、第２の熱交換器１２ｂを流れる湯水を湯張り目標設定温度と同等程度に加熱しただけでは、戻り管３５ｂを通過して浴槽４５に流入してきた非加熱の湯水と前記湯水とが混合した後の湯水温度が湯張り目標設定温度を大きく下回る虞が大きい。本実施形態の制御によれば、そのような虞を適切に解消することが可能である。
浴槽４５への湯水の落とし込み量が、所定量に達した後には、先に述べた通常時の動作制御と同様に、注湯電磁弁Ｖ１が閉じられてから風呂追い焚き動作が実行される（Ｓ９：ＹＥＳ，Ｓ１０〜Ｓ１３）。浴槽４５に落とし込まれた湯水は、第２のバーナ１０ｂを利用して加熱された湯水であるため、この湯水を所望の湯張り目標設定温度まで加熱するのに要する時間を短くすることが可能である。
前記とは異なり、風呂追い焚き回路Ｂが正常でない場合には（Ｓ４：ＮＯ）、その旨がリモコン１６において報知され、浴槽４５への湯張り動作は実行されない。このことにより、安全性を確保することができる。
【００３２】
一般給湯回路Ａの異常が、所定の軽度の異常であり、かつ風呂追い焚き回路Ｂが正常である場合には、その旨がリモコン１６を利用して報知されてから注湯電磁弁Ｖ１が開かれる（Ｓ３：ＮＯ，Ｓ１４：ＹＥＳ，Ｓ１５，Ｓ１６）。ここで、軽度の異常とは、安全上などの理由から第１のバーナ１０ａの燃焼駆動を全面的に中止する必要はなく、第１のバーナ１０ａの燃焼駆動は可能であるものの、第１のバーナ１０ａの燃焼火力が低下していることや、あるいはその他の原因により、第１のバーナ１０ａによる湯水加熱量が所定以下に低下した状態となる異常である。この軽度の異常の判断基準についても、重度の異常と同様に、制御プログラムにおいて予め適宜に定めておくことができる。軽度の異常の幾つかの具体例としては、第１の熱交換器１２ａが排気閉塞迄には到っていないものの排気閉塞気味になっている場合、第１のバーナ１０ａの複数の燃焼エリアのうち、一部のエリアのみが燃焼不可となっているような場合、あるいはファン１１が故障には到っていないものの送風性能が低下している場合などが挙げられる。たとえば、センサに断線が生じているような異常がある場合であっても、第１のバーナ１０ａの燃焼駆動や安全性にとくに支障がなく、かつ第１のバーナ１０ａの燃焼駆動時に本来の湯水加熱能力を発揮し得る場合には、前記した軽度の異常には含まれない。この場合には、第１のバーナ１０ａが正常である場合と同様な湯水加熱が可能であり、正常である場合とは異なる動作制御を行なう必要性に乏しいからである。
【００３３】
前記した軽度の異常がある場合、第１および第２のバーナ１０ａ，１０ｂをともに燃焼駆動させる（Ｓ１７，Ｓ８）。このことにより、第１のバーナ１０ａによって加熱された湯水が、第２のバーナ１０ｂによってもさらに加熱される。既述したように、第１のバーナ１０ａに所定の軽度の異常がある場合には、この第１のバーナ１０ａを駆動させるだけでは湯水を十分に加熱することが困難となる場合が多発するが、第２のバーナ１０ｂをも利用すれば、そのような不具合を適切に抑制することができる。
浴槽４５への湯水の落とし込み量が、所定量に達した後には、やはり通常の湯張り動作時と同様に、注湯電磁弁Ｖ１が閉じられてから風呂追い焚き動作が実行される（Ｓ９：ＹＥＳ，Ｓ１０〜Ｓ１３）。浴槽４５に落とし込まれた湯水は、第１および第２のバーナ１０ａ，１０ｂによって加熱された湯水であるため、やはりこの湯水を所望の湯張り目標設定温度まで加熱するのに要する時間を短くすることが可能である。
風呂追い焚き回路Ｂが正常でない場合には（Ｓ１４：ＮＯ）、安全性の確保などの理由から、その旨がリモコン１６において報知され、浴槽４５への湯張り動作は実行されない
。
【００３４】
図３は、本発明の他の実施形態を示している。同図において、前記実施形態と同一または類似の要素には、前記実施形態と同一の符号を付すこととし、重複説明は省略する。
【００３５】
図３に示す給湯装置ＷＨ２においては、風呂追い焚き回路Ｂのうち、ポンプＰよりも戻り管３５ｂ側の位置に、二方弁Ｖ３が設けられている。この二方弁Ｖ３は、注湯配管部３６から風呂追い焚き回路Ｂに流入してきた湯水の流れを切り替えるための弁であり、本発明でいう流路切替え弁の一例に相当する。この二方弁Ｖ３の具体的な動作制御については後述する。
【００３６】
給湯装置ＷＨ２においては、中和器９０を利用して中和されたドレン水が貯留槽９１に一時的に溜められ、かつその水位が所定高さに達した際には、ポンプＰが駆動を開始するように構成されている。このポンプＰの駆動時には、貯留槽９１内のドレン水は、逆止弁Ｖ１０および第１の三方弁Ｖ１１を通過してポンプＰに到達し、かつその後は第２の熱交換器１２ｂおよび往き管３５ａを通過して第２の三方弁Ｖ１２に到達するようになっている。第２の三方弁Ｖ１２は、浴槽４５の下方の排水口４１ａを備えた排水パン４１上にドレン水を排出可能である。往き管３５ａを湯水が流れてきた場合には、第２の三方弁Ｖ１２の切り替えにより、この湯水を循環アダプタ４０および浴槽４５側へ導くことが可能である。
【００３７】
二方弁Ｖ３は、図４のフローチャートに示すような態様で制御される。
すなわち、浴槽４５への湯張り動作を開始すべく注湯電磁弁Ｖ１を開く場合において、一般給湯回路Ａに異常（重度および軽度の双方の異常）があるときには、二方弁Ｖ３は閉状態とされる（Ｓ３０：ＹＥＳ，Ｓ３１：ＹＥＳ，Ｓ３２）。一般給湯回路Ａに異常があるときには、既述したように、第１のバーナ１０ａは燃焼駆動されず、または燃焼駆動されたとしても湯水加熱能力が低い状態にあり、第２のバーナ１０ｂによる湯水加熱がなされるが、この場合に二方弁Ｖ３が閉状態とされると、注湯配管部３６から風呂追い焚き回路Ｂに流れ込んだ湯水は、戻り管３５ｂ側には流れず、その全量が第２の熱交換器１２ｂおよび往き管３５ａ側を流れるいわゆる片搬送状態となる。したがって、風呂追い焚き回路Ｂに流れ込んだ湯水を第２のバーナ１０ｂによって効率良く加熱することができる。
【００３８】
一方、前記とは異なり、一般給湯回路Ａに異常がないときには、二方弁Ｖ３は開状態とされる（Ｓ３１：ＮＯ，Ｓ３３）。一般給湯回路Ａに異常がないときには、第１のバーナ１０ａによって湯水を比較的高温に加熱することが可能であるのに対し、二方弁Ｖ３を開状態にすると、注湯配管部３６から風呂追い焚き回路Ｂに流れ込んだ湯水は、戻り管３５ｂと往き管３５ａとの双方に分岐して流れるいわゆる両搬送状態となる。したがって、高温の湯水を浴槽４５に迅速に落とし込み、湯張り動作を早期に完了させることができる利点が得られる。
【００３９】
本発明は、上述した実施形態の内容に限定されない。本発明に係る給湯装置の各部の具体的な構成は、本発明の意図する範囲内において種々に設計変更自在である。
【００４０】
本発明でいう一般給湯回路や風呂追い焚き回路の異常の具体的な内容およびその判断基準などは、既述したように、予め適宜に定めておくことができる事項であり、上述の実施形態において具体例として挙げられたものに限定されないことは言う迄もない。第１および第２のバーナの具体的な種類や、第１および第２の熱交換器の具体的な構成などもとくに限定されるものではない。第１および第２の熱交換器としては、潜熱回収機能を有しない熱交換器として構成することもできる。
本発明でいう流路切り替え弁は、図３に示した二方弁Ｖ３に代えて、たとえば三方弁な
どの他の種類の弁を用いることもできる（風呂追い焚き回路と注湯配管部との交差接続部分に三方弁を設置するなど）。
流路切り替え弁を備えた実施形態として、ドレン排出機能は必須ではなく、たとえばドレン水は図１のように外部に排出されるように構成され（三方弁Ｖ１１を具備しない）、風呂追い焚き回路ＢのうちポンプＰよりも戻り管３５ｂ側の位置に二方弁Ｖ３が設けられる構成としてもよい。
【符号の説明】
【００４１】
ＷＨ１，ＷＨ２  給湯装置
Ａ  一般給湯回路
Ｂ  風呂追い焚き回路
Ｖ１  注湯電磁弁
Ｖ３  二方弁（流路切り替え弁）
５  制御部（制御手段）
１０ａ，１０ｂ  第１および第２のバーナ
１２ａ，１２ｂ  第１および第２の熱交換器
３０ａ  入水口
３１ａ  出湯口
３５ａ  往き管
３５ｂ  戻り管
４５  浴槽
【図１】
2016044854.tif 000003
【図２】
2016044854.tif 000004
【図３】
2016044854.tif 000005
【図４】
2016044854.tif 000006